(57)【要約】【課題】僅かな回転で開栓されたことが確実に表示でき、且つ多様な開栓表示の発現性が得られるＴＥバンド不要なネジ付きキャップを提供する。【解決手段】回転により開栓するキャップにおいて、外蓋の天面壁２１に内側を視認できる透視部３１を有し、透視部には天面壁の中心から放射状に延びる放射縞３２を形成し、透視部の内側の内蓋の天面部１２の透視可能領域４３に放射状の潜像線画３４を有し、前記外蓋を前記内蓋に対して回動させることによって、前記透視部に文字や絵を表示する表示発現手段を設けた。【選択図】図３
2014166864.tif 000002
【特許請求の範囲】
【請求項１】
天面壁と円筒状スカート壁を有する外蓋と、円形状天面部を有する内蓋とを有し、前記外蓋が前記内蓋に対して回動可能に嵌合されたキャップにおいて、
前記外蓋は内側を視認できる透視部を前記天面壁に有し、前記円形状天面部には内側印刷面を前記透視部の内側にある透視可能領域に有し、
前記透視部には前記円形状天面部の中心に対応する前記外蓋天面壁の中心から放射状に延びる放射縞を形成し、該放射縞の下か、非透視部の下の前記透視可能領域に中心から放射状にのびる放射線画による文字や絵の表示が隠れている表示発現手段を備え、前記外蓋を前記内蓋に対して回動させることによって、前記透視部に文字や絵を表示することを特徴とするキャップ。
【請求項２】
前記内蓋と前記外蓋とは、開栓動作の最初は前記外蓋だけが回転し、所定位置で前記蓋と内蓋が回動に対して一体化し、以後は前記外蓋が内蓋に対して回転することを阻止した不可逆構造となっており、前記表示発現手段によって、開栓表示を発現するタンパーエビデント機能を奏する請求項１に記載のキャップ。
【請求項３】
前記内蓋には円形状天面部の外周縁から垂下した円筒状のスカート壁を有し、前記不可逆構造は、前記内蓋スカート壁の外周部に配置された、周方向両端面が係止面となっている係止凸部と、該係止凸部から開栓方向に所定角度離れて配置され開栓方向端面が開栓方向回転に対して揺動可能となっている係止フラップの組合せからなる内蓋側係止手段と、前記外蓋スカート壁の内周部に配置され、外蓋の開栓方向の回転に対して前記係止凸部の閉栓方向端面の係止面と係合する係止面を有する第１係合突起と、閉栓方向の回転に対して前記係止フラップの端面の係止面と係合する第２係合突起の組み合わせからなる外蓋側係止手段からなる請求項２に記載のキャップ。
【請求項４】
前記外蓋は透明又は半透明樹脂材料で形成され、前記放射縞が前記外蓋に直接印刷又は透明樹脂フィルムに印刷されて貼付形成されている請求項１〜３のいずれかに記載のキャップ。
【請求項５】
前記外蓋は、非透明材料で形成され、前記透視部に開口窓が形成され、該開口窓を遮蔽して前記放射縞が印刷された透明フィルムが貼付されている請求項１〜３のいずれかに記載のキャップ。
【請求項６】
前記表示発現手段によって発現する文字や絵には、エンターティメント情報を含んでいる請求項１〜５の何れかに記載のキャップ。
【発明の詳細な説明】
【技術分野】
【０００１】
本発明は、回転することによって開封されるキャップに関する。
【背景技術】
【０００２】
従来、容器を開封したときにキャップの表面に開封したことを示す表示あるいは福引等のエンターティメント等の表示が出現する構造のキャップが提案されている（例えば、特許文献１、２）。また、キャップの加飾性を高める手段として、外蓋の上面部に、多数の線による外側デザインパターンが設けられた透明外側プレートを備えると共に、内蓋の上面部に、多数の線による内側デザインパターンが設けられた内側プレートを備え、且つ透明外側プレートと内側プレートとが相対的に回転スライドするように案内する回転案内手段を設け、外蓋を回転させることにより内側デザインパターンと外側デザインパターンのずれることによりモアレ模様が生じ、モアレ模様の変化を楽しむようにした可変模様蓋が提供されている（文献３）。
これらの従来技術のうち、特許文献１、２のものは加飾性に劣ると共に、文字等を表示させるためにはキャップの回転角度を大きくしなければならない欠点があり、特許文献３のものはモアレ現象により加飾性を高めているが、キャップの開閉とは関連性がなく、また特定情報の表示性に欠けるという欠点がある。
【０００３】
一方、従来ネジ付きキャップで密封した容器の流通段階での未開封を保証するタンパーエビデント（以下、単にＴＥという。）性を得る手段として、スカート壁の下端に弱化部を介してＴＥバンドを設け、開栓に際して弱化部が破断してキャップ本体のスカート壁から分離されることによって、開栓されたことが判別できるようにしているのが広く採用されている。しかしながら、樹脂キャップの場合、キャップ本体とＴＥバンドとの軸方向間隔が狭いため開栓後にリシールしても弱化部が破断されているか否か目視でわかり難い場合がある。また、開栓に際しては前記弱化部を破断するための余分なトルクを必要とし、高齢者や子供等の力の弱い方には開けがたいと言う問題点があった。
【０００４】
前記特許文献１のように密封状態から外キャップを弛め方向に回すと、外キャップの天面壁に穿設した窓孔内に開栓を表示する開マークが出現するものは、ＴＥバンドを破断させる場合と比べて余分な開栓トルクを必要としないので、開栓性に優れているが、開マークを確実に目立つように表示させるには外蓋の回転角度を大きくしなければならず、場合によっては初期ブレークが起きても目立つ表示ができなかったという欠点があり、ＴＥ性が十分でなかった。また、特許文献３に示すような外側表示面と内側表示面の回転による相対的ずれによってモアレ模様を生じさせて加飾性を高める技術をキャップの天面に適用した場合、回転半径によってずれ量が相違するため、不均一なモアレ模様を出現させることはできるが、文字等の特定情報を出現させることは困難であり、従来キャップ天面にモアレ模様による特定文字情報を出現させるというものは提供されていない。
【先行技術文献】
【特許文献】
【０００５】
【特許文献１】特開平０９−１２４０６０公報
【特許文献２】実開昭６３−１７０５７号公報
【特許文献３】実開２００３−１１８７６３号公報
【発明の概要】
【発明が解決しようとする課題】
【０００６】
そこで、本発明は、キャップの天面に放射状の縞によって文字や絵柄等の画像パターンを出現させ、該画像に特定の情報を表示させると共にキャップの加飾性を高めることかができるキャップを提供することを第１の目的とし、且つ僅かな回転で開栓されたことが確実に表示されてＴＥ性に優れ、且つ多様な開栓表示の発現性が得られる回転によって開封されるキャップを提供することを第２の目的とする。
【課題を解決するための手段】
【０００７】
上記課題を達成する請求項１に係る発明のキャップは、天面壁と円筒状スカート壁を有する外蓋と、円形状天面部を有する内蓋とを有し、前記外蓋が前記内蓋に対して回動可能に嵌合されたキャップにおいて、
前記外蓋は内側を視認できる透視部を前記天面壁に有し、前記円形状天面部には内側印刷面を前記透視部の内側にある透視可能領域に有し、
前記透視部には前記円形状天面部の中心に対応する前記外蓋天面壁の中心から放射状に延びる放射縞を形成し、該放射縞の下か、非透視部の下の前記透視可能領域に中心から放射状にのびる放射線画による文字や絵の表示が隠れている表示発現手段を備え、前記外蓋を前記内蓋に対して回動させることによって、前記透視部に文字や絵を表示することを特徴とするものである。
【０００８】
請求項２に係る発明は、請求項１に記載のキャップにおいて、前記内蓋と前記外蓋とは、開栓動作の最初は前記外蓋だけが回転し、所定位置で前記蓋と内蓋が回動に対して一体化し、以後は前記外蓋が内蓋に対して回転することを阻止した不可逆構造となっており、前記表示発現手段によって、開栓表示を発現するタンパーエビデント機能を奏することを特徴とするものである。
請求項３に係る発明は、請求項２に記載のキャップにおいて、前記内蓋には円形状天面部の外周縁から垂下した円筒状のスカート壁を有し、前記不可逆構造は、前記内蓋スカート壁の外周部に配置された、周方向両端面が係止面となっている係止凸部と、該係止凸部から開栓方向に所定角度離れて配置され開栓方向端面が開栓方向回転に対して揺動可能となっている係止フラップの組合せからなる内蓋側係止手段と、前記外蓋スカート壁の内周部に配置され、外蓋の開栓方向の回転に対して前記係止凸部の閉栓方向端面の係止面と係合する係止面を有する第１係合突起と、閉栓方向の回転に対して前記係止フラップの端面の係止面と係合する第２係合突起の組み合わせからなる外蓋側係止手段からなることを特徴とするものである。
【０００９】
請求項４に係る発明は、請求項１〜３の何れかに記載のキャップにおいて、前記外蓋は透明又は半透明樹脂材料で形成され、前記放射縞が前記外蓋に直接印刷又は透明樹脂フィルムに印刷されて貼付形成されていることを特徴とするものである。
請求項５に係る発明は、請求項１〜３の何れかに記載のキャップにおいて、前記外蓋は、非透明材料で形成され、前記透視部に開口窓が形成され、該開口窓を遮蔽して前記放射縞が印刷された透明フィルムが貼付されていることを特徴とするものである。
また、請求項６に係る発明は、請求項１〜５のいずれかに記載のキャップにおいて、前記表示発現手段によって発現する文字や絵には、エンターティメント情報を含んでいることを特徴とするものである。
【発明の効果】
【００１０】
請求項１の発明によれば、表示発現手段が内蓋と外蓋との間に設けられているので、外蓋の小さい回転でキャップに種々の表示を出現でき、加飾性やエンターティメント性を付加することができ、且つこの表示発現手段をＴＥ表示としても有効に利用することができる。
また、前記透視部には前記天面壁の中心から延びる放射状に延びる放射縞を形成したので、内側印刷面に表示された初期に隠しておきたい文字や図柄を確実に隠しておくことが出来る。また、放射縞の集合により扇形の放射線画が形成されるので、天面壁中心部では縞の間隔が小さくなりすぎても外周部では間隔が広がり、直径の小さいキャップでも判別し易い表示が可能となる。
そして、放射縞を放射状に扇形に配置しているので、内側印刷面と外側透視部を相対回転させた場合の放射縞を利用した模様による情報表示がしやすくなり、外蓋を内蓋に対して僅かの回転で隠しておいた文字や図柄を顕在化させることができる。
【００１１】
請求項２の発明によれば、開栓動作の最初は外蓋だけが僅かに回転し、所定位置で前記外蓋と内蓋が回動に対して一体化し、以後は前記外蓋が内蓋に対して逆回転することを阻止した不可逆構造となっているので、外蓋を内蓋に対して僅かに回転させることにより出現する放射状潜像線画を、従来のＴＥバンドに代える開栓表示発現手段として利用することにより、確実なＴＥ性を得ることができる。
さらに、前記不可逆構造を請求項３に記載の構成にすることにより、より確実なＴＥ性を得ることが可能となる。
前記不可逆構造を構成する内蓋側係止手段と外蓋側係止手段の配置関係は、請求項４又は請求項５に記載の何れでも採用でき、キャップの種類によって任意に採用可能であり、自由度が高い。
【００１２】
そして、前記外蓋が透明又は半透明樹脂材料で形成されている場合は、前記放射縞が前記外蓋天面の裏面又は表面に、直接印刷又は透明樹脂フィルムに印刷されて形成されている構成を採用でき、前記外蓋が非透明材料で形成されている場合は、外蓋の透視部に前記内蓋と対向する位置に窓孔が形成され、該窓孔を遮蔽して前記放射縞が印刷された透明フィルムが貼付されている構成を採用できるので、必ずしも透明な樹脂容器に限らず、不透明な樹脂材料あるいは、金属材料からなるキャップにも容易に適用できる。
さらに、前記表示発現手段により発現する文字や絵には、開栓されたことを明示する表示に限らず、福引や占いあるいは他のエンターティメント情報の表示あるいはその組合せ等を任意に採用することによって、単にＴＥ性のみならずエンターティメント性に富んだキャップを得ることができる。
【図面の簡単な説明】
【００１３】
【図１】本発明の一実施形態に係るキャップを容器口に装着した状態での要部縦断面図である。
【図２】図１に示すキャップにおけるＡ−Ａ断面矢視図であり、（ａ）は密封状態、（ｂ）は（ａ）の状態から外蓋を開栓方向に所定角度回転した状態を示す。
【図３】本発明におけるキャップの開栓表示発現手段の第１実施例を示し、（ａ）は外蓋の透視部を示す平面図であり、（ｂ）は外蓋の透視部を省いた状態での内蓋の内側印刷面を示す平面図である。
【図４】図３に示すキャップが、開栓表示を発現している状態を示している平面図である。
【図５】本発明におけるキャップの開栓表示発現手段の第２実施例を示し、未開封状態での平面図である。
【図６】図５の実施例におけるキャップが開栓表示を発現している状態を示している平面図である。
【図７】本発明の他の実施形態に係るキャップの容器口に装着した状態での要部断面図である。
【図８】本発明に係る表示発現手段の適用可能なキャップの一例を示すキャップ半断面正面図である。
【発明を実施するための形態】
【００１４】
以下、本発明に係る回転により開封するキャップの実施形態を図面を基に詳細に説明する。
本実施形態では、内蓋と外蓋との相対回転と放射縞と放射線画の相互作用により出現する文字や図柄の表示発現手段をキャップの開封表示手段に適用した場合を示し、まず、本実施形態のキャップの開封構造を図１及び図２により説明する。
図１は、本発明の一実施形態に係るネジ付きキャップ１０をボトル等の容器口９０に装着した状態での要部断面図である。本実施形態に係るネジ付きキャップ１０は、合成樹脂製キャップであり、内蓋１と外蓋２からなり、内蓋スカート壁１１の内周面に容器口に形成された雄ネジ９１と螺合する雌ネジ１７が形成され、円形状天面部１２に後述する内蓋側の開栓表示発現手段が設けられている。そして、内蓋スカート壁１１の外周面には、後述する外蓋２との間で不可逆構造を形成するための係止凸部及び係止フラップが形成されている。また、内蓋スカート壁１１の外周部には外蓋が上方に抜けるのを阻止するための軸方向係止突起１４が設けられている。図中、１８はインナーリングである。
なお、上記内蓋の内周面に雌ネジを形成した場合であるが、雌ネジに代えてラグ等の凸部を形成して回転により開閉可能にしてもよい。
【００１５】
一方、外蓋２は、内蓋１の外周部を覆うように嵌合するカップ形状を呈し、天面壁２１と外蓋スカート壁２２とからなり、外蓋スカート壁２２の内周面には後述する外蓋側の不可逆構造を形成するための第１係合突起及び第２係合突起が形成されていると共に、下方部には内蓋の軸方向係止突起１４と係合する軸方向係合突起２３が形成されている。
【００１６】
内蓋１に対する外蓋２の前記不可逆構造は、図１及び図２に示すように、内蓋スカート壁１１と外蓋スカート壁２２のそれぞれ上方部間に設けられ、内蓋側係止手段と外蓋側係止手段とから構成されている。内蓋側係止手段は、内蓋スカート壁１１の外周部に周方向両端面が係止面１５１、１５２となっている係止凸部１５と、該係止凸部１５から開栓方向に所定間隔離れて配置され開栓方向端面が開栓方向回転に対して揺動可能となっている係止フラップ１６の組合せからなっている。係止フラップ１６は、図２に明示するように、内蓋スカート壁１１の外周部から基部１６１が突出し、先端が開栓方向に向けて弾性変形可能に傾斜して伸び、その先端が後述する外蓋の第２係合突起２５の係止面２５１と衝合する係止面１６２となっている。
【００１７】
一方、外蓋側係止手段は、外蓋スカート壁２２の内周部に配置され、外蓋の開栓方向の回転に対して内蓋の係止凸部１５の閉栓方向端面の係止面１５１と係合する係止面２６２を有する第１係合突起２６と、閉栓方向の回転に対して内蓋の係止フラップ１６の係止面１６２と係合する係止面２５１を有する第２係合突起２５の組合せから構成されている。前記第２係合突起２５は閉栓方向端面が係止面２５１となり、その反対側端面２５２は係止フラップ１６を乗越えるようにテーパー状に形成されている。逆に、第１係合突起２６は、閉栓方向端面２６１がテーパー状に形成され、開栓方向端面が係止面２６２となっている。
【００１８】
前記第２係合突起２５の係止面２５１と開栓方向に隣接する第１係合突起２６の係止面２６２との周方向ピッチは、内蓋１の係止フラップ１６の係止面１６２と係止凸部１５の閉栓側の係止面１５１との周方向ピッチと等しく形成され、且つ第２係合突起２５の係止面２５１と閉栓方向に隣接する第１係合突起２６の係止面２６２との周方向ピッチと、内蓋１の係止凸部１５の係止面１５１と開栓方向に隣接する係止フラップ１６の係止面１６２との周方向ピッチが等しく形成されている。
なお、上記実施形態では、内蓋側係止手段が内蓋スカート壁１１外周面にあり、外蓋側係止手段が外蓋スカート壁２２内周面にある場合を示しているが、前記内蓋側係止手段を内蓋円形状天面部上面の外周側に形成し、前記外蓋側係止手段を外蓋天面壁下面の外周側に形成することも可能であるので、上記実施形態に限るものではない。
【００１９】
本実施形態における不可逆構造は、以上のように形成され、未開栓状態である図２（ａ）の状態から外蓋２を開栓方向に回転させると、外蓋の第１係合突起２６の係止面２６２が係止凸部１５の係止面１５１に衝合するまで、外蓋のみが回転する。その間、外蓋の第２係合突起２５のテーパー面２５２が係止フラップ１６を押圧して乗越えると、同図（ｂ）に示すように係止フラップ１６が弾性復元して、その係止面１６２が第２係合突起２５の係止面２５１と係止する。したがって、その状態では、第２係合突起２５の係止面２５１は係止フラップ１６の係止面１６２と係止し、第１係合突起２６の係止面２６２は係止凸部１５の係止面１５１と係止しているので、その後の開栓方向及び閉栓方向への回転は、外蓋と内蓋が一体に回転する。よって、外蓋を逆回転させても、図２（ａ）に示す開栓前の状態に復帰することはできない。
【００２０】
次に、本実施形態における開封表示手段としての表示発現手段の基本的形態について、図３〜図４により説明する。
図３（ａ）は、図１に示すキャップの外蓋２の天面壁２１の外周部近傍に、内蓋の円形状天面部が透視可能になっている仮想線で示す透視部３１を９０゜間隔で４個形成した外蓋の平面図である。該透視部に図３（ａ）に示すような、顕像化用線画として外蓋の中心から放射状に伸びる線（縞）が所定ピッチ角度で形成された放射縞３２が形成されている。
透視部３１は、外蓋２が透明又は半透明材料で形成され、内蓋の天面部が視認できれば特別な構成をすることなく、該透視部に放射縞３２を設ければよい。しかしながら、外蓋が後述するように非透明材料で形成されている場合は、該透視部をくり抜いた開口窓として、該開口窓を覆って内側又は外側に透明材料に印刷された顕像化用線画として放射縞を貼付する。
【００２１】
顕像化用線画を放射状の放射縞とすることで、後述するように、内蓋の円形上面部の内側印刷面に表示した文字や図柄を回転初期に確実に容易に隠しておくことが出来る。また、外周部とすることは、中央部は縞の幅が細くなりすぎ、文字等の表示が判別し難しくなるのを避けるためであるが、表示の内容等によって出現が可能であれば、中央部まで範囲を拡げることが出来る。したがって、印刷技術が対応できる範囲で中央部の範囲や放射縞の角度を適宜調整することによって、外周部と共に中央部近傍も開栓表示発現手段あるいは他の情報やデザイン発現手段としてのモアレ現象を発現させることが可能である。例えば、外周部は放射角度間隔２，３度で放射縞を構成し、中央部付近は１０度から１５度等と複数段階で縞を構成することによって、外周部と中央部近傍と２段階の表示が可能である。図では透視部の範囲が正方形に近い形だが、扇形やドーナツ型でも良い。見た目のバランスを考慮して中央部に内側印刷はなくても、全体に放射縞が存在する様にしても良い。
【００２２】
また、図３（ｂ）は、前記外蓋の内側に相対回転可能に設けられた内蓋１の内側印刷面を示した図であり（なお、該図では分かり易くするために、外蓋に形成されている顕像化用線画を省いた状態で、内蓋の円形状天面部１２の上面全面が見えている状態で表現している。）、該内蓋には外蓋２の透視部３１の内側に外蓋の回転によって透視部を通して内蓋の円形状天面部が見える透視可能領域４３を有し、該透視可能領域４３は、潜像放射線画の有効な範囲であり、透視部の真下に限らず透視部の真下と相対回転する角度（本実施例では２０度）分広い範囲にわたっている。該透視可能領域４３に仮想線で示す内側印刷面３３を有し、該内側印刷面に潜像線画３４が印刷により形成されている。該潜像線画３４は、本実施形態では図３（ｂ）に示すように「開」の文字を内蓋円形状天面部の中心から放射状に伸び、顕像化用線画と重ならない白線の放射線群で分割した状態で形成され、未開封状態では外蓋と重なった状態で顕像化用線画３２によって隠されて判読できないようになっている。
前記白線の放射線群は白に限らず、例えば顕像化用線画と同じ色とすると、透視部には放射線が無い状態から放射線で分割された文字や図柄が表示される様になる。
【００２３】
なお、この実施形態では、潜像線画３４は顕像化用線画とぴったり重なった状態で形成され、外蓋を開封方向に僅かに回転させることによって内蓋の潜像線画が外蓋の顕像化用線画の隙間に表れて開文字が現出するようにしているが、例えば顕像化用線画（放射縞）で隠される範囲は３度の幅で顕像化用線画の隙間は１度の幅で構成している透視部に対して、内側印刷面の潜像線画と前記白線をそれぞれ２度の幅の縞で構成すると、４度の幅に白無地と潜像の２種類の図を入れることができ、相対的に回転させると１度の幅の隙間からもう一つの図柄を表示（視認）することが出来る。同様の透視部に対して、隠しておきたい潜像線画の幅を１度白線の幅を３度とすれば、顕像化用線画の幅に対して２度の余裕があるので、潜像線画の位置の調整がより容易になる。内側印刷面の潜像線画の幅を１度とすると、相対的に４度動かすことで、４種類の図柄の表示を楽しむことが出来る。
例えば、透視部の放射縞を２度とし、隙間を２度とすれば、表示部が大きくなり、より美しく表示することができる。放射縞は潜像線画を隠す目的があるため、隙間よりも大きい幅を有することは出来ない。
【００２４】
また、上記実施形態では潜像線画及び放射縞を直接内蓋及び外蓋に印刷してある場合について説明したが、これらをフィルム（外蓋に対しては少なくとも透明フィルム）に印刷して貼付してもよい。また、外蓋２への表示は、表面では厚みの関係で斜めから見た時にずれが生じる可能性があるので、内面の方が好ましいが、天面壁２１の裏面に限らず、衛生面の問題や印刷機の能力を考え表面に貼付してもよい。
【００２５】
本実施例の開栓表示発現手段は、以上のように形成され、未開封状態では、図３（ａ）に示すように、キャップの天面壁には放射縞により開封表示は隠れて見えないが、外蓋の僅かな回転で、開栓表示発現手段では外蓋２に設けられた顕像化用線画である放射縞３２が内蓋１に施された放射線画３４とずれて図４に示すように潜像線画３４が表れて「開」の文字が出現し、外蓋が開栓されたことが一目で判断できる。特に顕像化用線画と潜像線画が同じ角度幅で放射縞の隙間が細ければ、落下衝撃などの僅かな変化でもはっきりと表示することが出来る。特に本実施形態では、放射縞や線画を放射状に形成しているので、平行の縞の場合と比べて、平行の縞であると中央付近と外周縁付近との移動（回転）幅が異なり、内蓋外周側の潜像線画の周方向移動距離が長いために潜像線画が先に表示されてしまうという不都合が発生するが、放射縞と放射線画による表示発現手段を用いればそのような不都合は発生せず、内蓋に形成されている線画を明確に表示することが可能である。上記の様な用途で図１や図２のような不可逆構造を備えていないキャップとしては、例えば図８に示すスカート壁のない内蓋６１の円形状天面部の中心と外蓋６２の中心を固定して外蓋が回転する構成を持っている一般的なキャップ６０や、内蓋として厚めのシートを用いている金属のキャップなどにも、この表示発現手段を適用することが出来る。
【００２６】
また、図２のような不可逆構造を採用したキャップでは外蓋を３図（ａ）に示す状態から開栓方向に若干回転させることにより、第２係合突起２５が内蓋の係止フラップ１６を乗り越え、且つ第１係合突起の係止面２６２が内蓋の係止凸部１５の係止面１５１に衝合すると、外蓋と内蓋は一体となり開栓表示が表示され、戻ることはない。それまでは内蓋は動かず、容器の密封は破壊されずに密封状態を保つ。そして、その後外蓋を閉栓方向に回転させようとしても係止フラップ１６と第２係合突起２５との係止により、内蓋も一体に回転するので、開栓表示発現手段は初期の状態に復帰することはなく、「開」の表示を維持し続ける。
以上のように、本実施例の開栓表示発現手段によれば、外蓋の僅かな回転で開栓表示が発現でき、従来のＴＥバンドによる表示に比べて確実に表示できる。
【００２７】
図５及び図６は、開栓表示発現手段の第２実施例を示し、第１実施例と同一の部分は同一符号を付し、相違点のみについて説明する。本実施形態のキャップ４０は、前記第一実施形態の場合と比べて、開封表示を図示のように外蓋２の天面壁の中央部寄りに透視部４１を設け、該部に互いに近接して放射線上に沿って延びる放射縞からなる顕像化用線画４２を設け、内蓋の天面にはそれに対応するように前記実施形態における潜像線画３４と同様に形成した潜像線画４４が形成してあり、閉鎖状態から外蓋を内蓋に対してわずかに回転させることによって、図６に示すように「開」の文字が中央部近傍に現出するようにしてある。
【００２８】
本発明の第３実施例として、前記実施形態と同様に外蓋を回転させ天面壁に「開」の文字が表れるようにする代わりに、中央部に例えば「あたり」等の福引表示を設けてエンターティメント性を高めることもできる。この実施例では外蓋天面壁に透視部を設け、それに対向する内蓋天面部に印刷面を設け、両表示部に印刷された放射縞の組合せにより、エンターティメント情報が出現するようにした点である。エンターティメント情報としては、例えば福引の「あたり」や「はずれ」の表示、あるいは占い、その他の種々の絵柄等が発現させることによって、単にＴＥ性の表示に留まらず開栓時の消費者の趣向を向上させることができる。
【００２９】
以上の実施例において、内側印刷面は図柄を放射縞とおなじ色にすることで放射縞も図柄の一部と見ることが出来る。また、異なる色とすることで、図柄の上を、放射縞が横断する様に見えてしまうが、内側印刷面の色の明度が放射縞の明度より高いと、膨張色なので実際には縞より角度範囲が狭くても、そんなに表示が見づらくないと言う効果もあり、目的によって適宜使い分けることが出来る。
【００３０】
図７は、本発明のネジ付きキャップの他の実施形態を示す正面要部断面図である。図１に示す実施形態と同一部分については同じ参照符号を付し、相違点のみについて説明する。
本実施形態のキャップ８０と図１に示す実施形態のキャップ１０との相違点は、天面壁８２の中央部に開口窓８３が設けられて、該開口窓に開栓表示発現手段８５が設けられていることにある。開栓表示発現手段８５は、円形状天面部１２の表面に放射線画による文字絵柄を直接印刷又はフィルムに印刷して貼付することにより施し、天面壁８２側には放射縞を透明フィルムに印刷して開口窓８３を覆うように外蓋天面壁８２の内面に貼付することにより形成してある。したがって、本実施形態のネジ付きキャップは、外蓋８１が透明又は半透明樹脂で形成されてなくても、金属であっても、放射線画による開栓表示を発現させることができる。なお、外蓋の開口窓に貼付する放射縞が付された透明フィルムは、図７に示すように外蓋天面壁８２の裏面に貼付してもよく、天面壁表面に貼付してもよい。
以上、本発明の表示発現手段の種々の実施例を示したが、本発明は上記実施例に限るものでなく、種々の形態のものが採用可能である。
【産業上の利用可能性】
【００３１】
本発明のキャップは、キャップに小さい回転で種々の表示を出現でき、加飾性やエンターティメント性を付加することができ、且つこの表示発現手段をＴＥ表示として利用することにより、ＴＥバンドを設ける必要がなく弱化部を切断しないので小さい力で開封することができ、外蓋の僅かな回転によって開栓表示が発現するので、ＴＥ性と開栓性に優れ、産業上の利用可能性が高い。また、本発明のキャップは、合成樹脂製キャップに限らず金属製キャップにも適用可能である。
【符号の説明】
【００３２】
１  内蓋
２、８１  外蓋
１０、４０、８０  キャップ
１１  内蓋スカート壁
１２  円形状天面部
１４  軸方向係止突起
１５  係止凸部
１５１、１５２  係止面
１６  係止フラップ
１６１  基部
１６２  係止面
１７  雌ネジ
１８  インナーリング
２１、８２  天面壁
２２  外蓋スカート壁
２３  軸方向係合突起
２５  第２係合突起
２６  第１係合突起
３１、４１  透視部
３２、４２  顕像化用線画（放射縞）
３３  内側印刷面
３４、４４  潜像線画（放射線画）
４３  透視可能領域）
８３  開口窓
８５  開栓表示発現手段
８６  透明フィルム
９０  容器口
９１  雄ネジ
【図１】
2014166864.tif 000003
【図２】
2014166864.tif 000004
【図３】
2014166864.tif 000005
【図４】
2014166864.tif 000006
【図５】
2014166864.tif 000007
【図６】
2014166864.tif 000008
【図７】
2014166864.tif 000009
【図８】
2014166864.tif 000010